(57)【要約】      （修正有）【課題】スループットの向上を図るとともに、無線リソースを有効活用する。【解決手段】基地局装置は、確保された第１の無線リソースを利用して無線通信を行う第１の無線通信方式、又は第２の無線通信方式或いは確保された無線リソースで第１の無線リソースと異なる周波数帯を利用して無線通信を行う第１の無線通信方式によりデータを端末装置へ送信する。第１の無線リソースを利用した第１の無線通信方式を、第２の無線通信方式或いは第１の無線リソースと異なる周波数帯を利用した第１の無線通信方式よりも優先して端末装置へのデータ送信に使用する。振分部は、第１の無線リソースが第１の閾値以下になると、第２の無線通信方式或いは第１の無線リソースと異なる周波数帯を利用した第１の無線通信方式によりデータを端末装置へ送信するよう振り分ける。【選択図】図７
2014222846.tif 000002
【特許請求の範囲】
【請求項１】
確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを端末装置へ送信する基地局装置において、
前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する振分部
を備えることを特徴とする基地局装置。
【請求項２】
前記第２の通信方式は、他の基地局装置が他の端末装置との間の無線通信において利用する第２の無線リソースを利用した無線通信方式、又は確保された第３の無線リソースを利用した無線通信方式であることを特徴とする請求項１記載の基地局装置。
【請求項３】
前記振分部は、前記端末装置と前記基地局装置との間の通信品質が前記第１の無線リソースとは異なる周波数帯を利用した前記第１の無線通信方式よりも優れた前記第１の無線リソースを利用した前記第１の無線通信方式を優先し、優先した前記第１の無線リソースを利用した前記第１の無線通信方式によりデータを前記端末装置へ送信し、前記第１の無線リソースが第１の閾値以下になると、前記第１の無線リソースとは異なる周波数帯を利用した前記第１の無線通信方式によりデータを前記端末装置へ送信することを特徴とする請求項１記載の基地局装置。
【請求項４】
確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを端末装置へ送信する基地局装置におけるデータ送信方法であって、
前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する
ことを特徴とするデータ送信方法。
【請求項５】
端末装置と
基地局装置とを備え、前記基地局装置は、確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを前記端末装置へ送信する無線通信システムであって、
前記基地局装置は、前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する振分部を備え、
前記端末装置は、前記基地局装置から送信されたデータを受信する受信部を備えることを特徴とする無線通信システム。
【発明の詳細な説明】
【技術分野】
【０００１】
本発明は、基地局装置、基地局装置におけるデータ送信方法、及び無線通信システムに関する。
【背景技術】
【０００２】
現在、携帯電話システムや無線ＬＡＮ（Local Area Network）などの無線通信システムが広く利用されている。また、無線通信の分野では、通信速度や通信容量を更に向上させるべく、次世代の通信技術について継続的な議論が行われている。例えば、標準化団体である３ＧＰＰ（3rd Generation Partnership Project）では、ＬＴＥ（Long Term Evolution）やＬＴＥをベースとしたＬＴＥ−Ａ（LTE-Advance）などの通信規格の標準化が完了若しくは検討されている。
【０００３】
近年では、スマートフォンなど端末装置は、携帯電話網などの公衆回線網と無線ＬＡＮ（Local Area Network）など、複数の無線通信方式（又は無線メディア）を利用して無線通信を行うことも可能になっている。例えば、端末装置は公衆回線網を利用して無線通信を行い、地下街など公衆回線網を利用できないときは無線ＬＡＮを用いて無線通信を行うこともできる。
【０００４】
ネットワーク側においても、ＨｅｔＮｅｔ（Heterogenous Network）と呼ばれるネットワークが注目されつつある。ＨｅｔＮｅｔは、例えば、マクロセルやピコセル、マイクロセルなど様々なサイズのセルが階層化されたネットワークである。ＨｅｔＮｅｔにおいては、例えば、異なる無線通信方式（ＬＴＥと３Ｇなど）や異なる周波数帯を利用して無線通信が行われる。ＨｅｔＮｅｔではセルが階層化されるため、移動通信システム全体の容量（キャパシティ）を向上させることができる。
【０００５】
このような無線通信に関する技術としては、例えば、以下のような技術がある。すなわち、通信端末装置から通知された無線通信方式の優先度、無線通信方式毎の指標に基づいて算出された適合度、および予想消費リソースに基づいて、各無線通信方式に対応する基地局装置の混雑度を調整するようにした通信制御装置がある。この技術によれば、例えば、複数の無線アクセス方式に対応したマルチモード端末が特定のアクセス方式の基地局に負荷が集中しないように調整されることができる。
【０００６】
また、ＩＥＥＥ８０２．１１ａ、ＩＥＥＥ８０２．１１ｂ、及びＩＥＥＥ８０２．１１ｇによって基地局へアクセスする３個のリンクについて、３個のリンクの平均遅延時間が均等になるようにパケットを分配して基地局へ送信する無線装置もある。この技術によれば、例えば、コグニティブ無線ネットワークにおける通信効率を向上させることができる。
【０００７】
さらに、複数種類の無線通信方式を同時に使用して無線通信を行う異種無線通信システムに適用される無線通信装置であって、予想伝送速度及びバッテリの予想消費電力量に基づいて、相互に異なる少なくとも１つの無線モジュールを選択する技術もある。この技術によれば、例えば、端末のバッテリを効率よく活用することができる。
【０００８】
さらに、無線ＬＡＮやＷｉＭＡＸ（Worldwide interoperability for Microwave Access）など複数の無線メディアを有する無線基地局において、各無線モジュールから取得したＲＳＳＩ（Received Signal Strength Indicator）や送信待ちデータ量などの無線情報に基づいて、伝送フレームの分配比率を決定するようにした技術もある。
【先行技術文献】
【特許文献】
【０００９】
【特許文献１】特開２０１２−１３４８１７号公報
【特許文献２】特開２０１０−１０９８２４号公報
【特許文献３】特開２０１２−１５７９３号公報
【特許文献４】特開２００８−８５７５９号公報
【発明の概要】
【発明が解決しようとする課題】
【００１０】
しかしながら、上述した技術は、例えば、予想消費リソース量やバッテリの予想消費電力量などに基づいて複数種類の無線通信方式の中からいずれかが選択される技術である。このような技術では、選択された無線通信方式が、例えば、ＷｉＭＡＸなどのように無線リソースが確保されて無線通信が行われる方式ではなく、他の基地局による無線通信と無線リソースが共有される無線通信方式の場合もある。このような無線通信方式の例としては、例えば、無線ＬＡＮなどがある。平均遅延時間が均等になる上述した技術は、例えば、このような無線ＬＡＮによる複数種類の方式により分配してパケットを送信するものである。
【００１１】
このような無線通信方式が選択されると、例えば、無線リソースが他の基地局による無線通信と共有されることで、再送が何度も行われる場合もある。そのため、上述した予想消費リソース量や予想消費電力量などに基づいて複数種類の無線通信方式の中からいずれかが選択される技術では、スループットの向上を図れない場合がある。
【００１２】
また、上述した無線情報に基づいて伝送フレームの分配比率を決定する技術も、例えば、無線ＬＡＮによる無線通信については、他の基地局による無線通信とで無線リソースが共有されるため、想定した無線ＬＡＮ側のデータの送信量が確保されない場合がある。このような場合、無線ＬＡＮによるデータの送信量が少なくなると、ＷｉＭＡＸによるデータの送信量も分配比率に応じて少なくなる。ＷｉＭＡＸによるデータの送信量が少なくなると、その分、ＷｉＭＡＸ側の無線リソースに余裕が生じる場合もあり、例えば、ＷｉＭＡＸ側の無線リソースに余裕があるにも拘わらず当該無線リソースが無線通信に利用されない場合がある。従って、無線情報に基づいて伝送フレームの分配比率を決定する技術では、無線リソースが有効活用されず、また、スループットの向上を図れない場合もある。
【００１３】
さらに、上述した無線情報に基づいて伝送フレームの分配比率を決定する技術は、例えば、通信品質の変動が激しい場合、ＲＳＳＩの測定時とデータの送信時で異なるＲＳＳＩとなる場合がある。例えば、分配比率は測定時のＲＳＳＩが用いられており、データ送信時では異なるＲＳＳＩとなることで、分配比率決定時に要求されたスループットを確保できない場合もある。
【００１４】
そこで、本発明の一目的は、スループットの向上を図るようにした基地局装置、基地局装置におけるデータ送信方法、及び無線通信システムを提供することにある。
【００１５】
また、本発明の一目的は、無線リソースを有効活用できるようにした基地局装置、基地局装置におけるデータ送信方法、及び無線通信システムを提供することにある。
【課題を解決するための手段】
【００１６】
確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを端末装置へ送信する基地局装置において、前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する振分部を備える。
【発明の効果】
【００１７】
スループットの向上を図るようにした基地局装置、基地局装置におけるデータ送信方法、及び無線通信システムを提供することができる。また、無線リソースを有効活用できるようにした基地局装置、基地局装置におけるデータ送信方法、及び無線通信システムを提供することができる。
【図面の簡単な説明】
【００１８】
【図１】図１は無線通信システムの構成例を表わす図である。
【図２】図２は無線通信システムの構成例を表わす図である。
【図３】図３は基地局の構成例を表わす図である。
【図４】図４は端末の構成例を表わす図である。
【図５】図５はＬＴＥ転送用バッファの構成例を表わす図である。
【図６】図６は振分部の構成例を表わす図である。
【図７】図７は振分処理の動作例を表わすフローチャートである。
【図８】図８は基地局の構成例を表わす図である。
【図９】図９は振分部の構成例を表わす図である。
【図１０】図１０は振分処理の動作例を表わすフローチャートである。
【図１１】図１１は基地局の構成例を表わす図である。
【図１２】図１２は基地局の構成例を表わす図である。
【図１３】図１３は基地局の構成例を表わす図である。
【図１４】図１４は低周波数帯ＬＴＥ通信部の構成例を表わす図である。
【図１５】図１５は振分部の構成例を表わす図である。
【図１６】図１６は振分処理の動作例を表わすフローチャートである。
【図１７】図１７は基地局の構成例を表わす図である。
【図１８】図１８は低周波数帯ＬＴＥ通信部の構成例を表わす図である。
【図１９】図１９は振分処理の動作例を表わすフローチャートである。
【図２０】図２０は基地局の構成例を表わす図である。
【図２１】図２１は振分処理の動作例を表わすフローチャートである。
【図２２】図２２は基地局の構成例を表わす図である。
【図２３】図２３は無線通信システムの構成例と無線通信システムにおけるフローの例を表わす図である。
【図２４】図２４は振分処理の動作例を表わすフローチャートである。
【図２５】図２５は基地局の構成例を表わす図である。
【発明を実施するための形態】
【００１９】
以下、本発明を実施するための形態について説明する。
【００２０】
［第１の実施の形態］
最初に第１の実施の形態について説明する。図１は第１の実施の形態における無線通信システム１０の構成例を表わす図である。  
【００２１】
無線通信システム１０は、基地局装置１００と端末装置２００を備える。
【００２２】
基地局装置１００は、確保された第１の無線リソースを利用して無線通信を行う第１の無線通信方式でデータを端末装置２００へ送信する。また、基地局装置１００は、第２の無線通信方式或いは確保された無線リソースであって第１の無線リソースとは異なる周波数帯を利用して無線通信を行う第１の無線通信方式でデータを端末装置２００へ送信する。
【００２３】
基地局装置１００は、振分部１０１を備える。振分部１０１は、第１の無線リソースを利用した第１の無線通信方式を第２の無線通信方式又は第１の無線リソースと異なる周波数帯を利用した第１の無線通信方式よりも優先し、優先した第１の無線リソースを利用した第１の無線通信方式によりデータを端末装置２００へ送信する。このとき、基地局装置１００は第１の無線リソースが第１の閾値以下になると、第２の無線通信方式又は第１の無線リソースとは異なる周波数帯を利用した第１の無線通信方式によりデータを端末装置２００へ送信する。
【００２４】
一方、端末装置２００は受信部２１０を備える。受信部２１０は、基地局１００から送信されたデータを受信する。
【００２５】
このように、基地局装置１００では、例えば、確保された第１の無線リソースを利用した第１の無線通信方式を優先し、第１の空き無線リソースが第１の閾値以下になると、第２の無線通信方式によりデータを端末装置２００へ送信している。従って、基地局装置１００は、確保された第１の無線リソースにより送信困難なデータについては第２の無線通信方式によりデータを送信しているため、第１の無線リソースも第２の無線通信方式で利用される無線リソースも双方最大限利用し、無線リソースを有効活用している。
【００２６】
また、基地局装置１００では、例えば、確保された第１の空き無線リソースが第１の閾値以下となるまで、第１の無線リソースを利用した第１の無線通信方式を優先して無線通信を行っているため、第１の無線リソースを最大限利用している。従って、基地局装置１００は、第１の無線リソースに余裕がある場合と比較してスループット向上を図ることもでき、また、確保された無線リソースについて有効活用化を図ることもできる。
【００２７】
さらに、基地局装置１００では、例えば、確保された第１の無線リソースを利用した第１の無線通信方式を優先し、第１の空き無線リソースが第１の閾値以下になると、第１の無線リソースとは異なる周波数帯を利用した第１の無線通信方式によりデータを送信している。従って、基地局装置１００は、例えば、端末装置２００との間の通信品質の変動が激しい場合、通信品質の良好な第１の無線リソースを利用した第１の無線通信方式を優先してデータを送信できる。よって、基地局装置１００は、例えば、通信品質測定時とデータ送信時で通信品質が異なる場合でも、例えば、通信品質の優れた第１の無線リソースを利用した第１の無線通信方式を優先してデータを送信するため、スループットを確保しその向上を図ることもできる。  
【００２８】
［第２の実施の形態］
次に第２の実施の形態について説明する。最初に本第２の実施の形態における通信ネットワークシステムの構成例について説明する。
【００２９】
＜通信ネットワークシステム１０の構成例＞
図２は、第２の実施の形態における無線通信システム１０の構成例を表わす図である。無線通信システム１０は、基地局装置（以下、基地局と称する場合がある）１００−１，１００−２と端末装置（以下、端末と称する場合がある）２００−１，２００−２を備える。
【００３０】
基地局１００−１，１００−２は、例えば、サービス提供可能範囲（又はセル範囲）において端末２００−１，２００−２と無線通信を行う無線通信装置である。図２の例では、基地局１００−１はマクロ基地局、基地局１００−２はフェムト基地局であり、基地局１００−１のセル範囲は基地局１００−２のセル範囲よりも大きくなっている。
【００３１】
フェムト基地局１００−２は、例えば、登録されたユーザ（例えば端末２００−２）と無線通信を行い、登録されていないユーザ（例えば端末２００−１）と無線通信を行わないようになっている。ただし、フェムト基地局１００−２は、マクロ基地局１００−１における処理負荷などを考慮して、登録の有無に拘わらず、配下の端末２００−２と無線通信を行うこともできる。
【００３２】
基地局１００−１，１００−２は、例えば、ネットワークを介して他の基地局、コンテンツ配信装置などの装置と接続され、これらの装置との間でパケットデータなどを交換する。  
【００３３】
端末２００−１，２００−２は、例えば、基地局１００−１，１００−２と無線通信を行う無線通信装置である。端末２００−１，２００−２は、例えば、フィーチャーフォンやスマートフォンなどである。図２の例では、端末２００−１は基地局１００−１と、端末２００−２は基地局１００−２とそれぞれ無線通信を行っている様子を表わしている。
【００３４】
なお、図１に示す無線通信システム１０は一例であり、基地局１００−１，１００−２や端末２００−１，２００−２の台数は１台又は複数台でもよい。また、基地局１００−１，１００−２の種類も、図１以外のものであってもよい。例えば、基地局１００−２はフェムト基地局に代えて、マクロセルよりセル範囲が小さいピコセルを有する基地局でもよい。
【００３５】
＜基地局と端末の各構成例＞
図３はフェムト基地局１００−２の構成例を表わす図である。なお、以下に示す実施の形態ではフェムト基地局１００−２はマクロ基地局１００−１と同一構成であり、とくに断らない限り、基地局１００として説明する。本実施の形態の基地局１００はフェムト基地局１００−２でもマクロ基地局１００−１でも適用可能であるが、例えば、図３に示すように無線ＬＡＮによる無線通信を行うことができる。
【００３６】
基地局１００は、振分部１０１、ＬＴＥ転送用バッファ１０２、無線ＬＡＮ転送用バッファ１０３、ＬＴＥ通信部１０４、無線ＬＡＮ通信部１０５、アンテナ１０６，１０７を備える。
【００３７】
振分部１０１は、例えば、ネットワーク側から送信されたパケットデータを受信し、受信したパケットデータをＬＴＥ転送用バッファ１０２へ優先的に振り分ける。ただし、振分部１０１は、例えば、ＬＴＥ転送用バッファ１０２から出力されたキュー長情報に基づいて、振り分けを切り替えて、無線ＬＡＮ転送用バッファ１０３へ振り分ける場合もある。振分部１０１の詳細は後述する。
【００３８】
ＬＴＥ転送用バッファ１０２は、振分部１０１から出力されたパケットデータを記憶する。ＬＴＥ転送用バッファ１０２に記憶されたパケットデータは、ＬＴＥ通信部１０４によって読み出され、例えばスケジューリングによって確保された無線リソースを用いて送信される。無線リソースとしては、例えば、周波数リソースと時間リソースがあり、いずれか一方又は双方が用いられる。ＬＴＥ転送用バッファ１０２の詳細については後述する。
【００３９】
ＬＴＥ通信部１０４は、例えば、スケジューリングにより確保された無線リソースに相当するデータ量のパケットデータを、ＬＴＥ転送用バッファ１０２から読み出し、読み出したパケットデータをＬＴＥによる無線通信方式に合致した無線信号へ変換する。例えば、ＬＴＥ通信部１０４は、端末２００−１，２００−２から送信された無線品質情報などに基づいてＭＣＳを決定し、パケットデータの送信に必要な無線リソースを割り当てることで無線リソースを確保し、パケットデータの送信を行う。
【００４０】
ＬＴＥ通信部１０４は、例えば、パケットデータに対して誤り訂正符号化処理や変調処理、周波数帯域への周波数変換処理などを施すことで無線信号に変換する。このような変換が行われるよう、ＬＴＥ通信部１０４は誤り訂正符号化回路、変調回路、周波数変換回路などを備えるようにしてもよい。
【００４１】
また、ＬＴＥ通信部１０４は、アンテナ１０６から出力された無線信号を受け取り、無線信号からパケットデータを抽出する。この場合も、ＬＴＥ通信部１０４は、例えば、スケジューリングにより確保された無線リソースを利用して、各ユーザ（又は端末２００−１，２００−２）から送信された無線信号を受信する。
【００４２】
なお、ＬＴＥは、例えば、スケジューリングなどにより確保された無線リソースを用いてパケットデータの送受信を行う無線通信方式の一例である。
【００４３】
ＬＴＥ通信部１０４は、例えば、無線信号に対してベースバンド帯域への周波数変換処理、復調処理、誤り訂正復号化処理などを施すことで、パケットデータを抽出する。ＬＴＥ通信部１０４は、このような変換処理を行うことができるよう、周波数変換回路、復調回路、誤り訂正復号化回路などを備えるようにしてもよい。ＬＴＥ通信部１０４は、抽出したパケットデータをネットワークへ出力する。
【００４４】
アンテナ１０６は、ＬＴＥ通信部１０４から出力された無線信号を配下の端末２００−１，２００−２へ送信する。これにより、基地局１００はパケットデータをＬＴＥによる無線通信方式により端末２００−１，２００−２へ送信することができる。
【００４５】
また、アンテナ１０６は、配下の端末２００−１，２００−２から送信された無線信号を受信し、受信した無線信号をＬＴＥ通信部１０４へ出力する。  
【００４６】
無線ＬＡＮ転送用バッファ１０３は、振分部１０１から出力されたパケットデータを記憶する。無線ＬＡＮ転送用バッファ１０３に記憶されたパケットデータは、無線ＬＡＮ通信部１０５により読み出され、無線ＬＡＮにより送信可能な無線リソースを用いて送信される。
【００４７】
無線ＬＡＮ通信部１０５は、例えば、ＬＴＥ通信部１０４のようにスケジューリングによって無線リソースを確保することを行わず、他の基地局と共有される無線リソースを用いてパケットデータを送信する。
【００４８】
なお、無線ＬＡＮは、例えば、無線リソースが他の基地局における無線通信と共有して利用される無線通信方式の一例である。
【００４９】
無線ＬＡＮ通信部１０５では、例えば、誤り訂正符号化処理や変調処理、周波数変換処理などにより、パケットデータを無線信号に変換して、変換後の無線信号をアンテナ１０７へ出力する。  
【００５０】
また、無線ＬＡＮ通信部１０５は、アンテナ１０７から出力された無線信号を受け取り、無線信号からパケットデータを抽出する。無線ＬＡＮ通信部１０５では、例えば、周波数変換処理、復調処理、誤り訂正復号化処理などにより、無線信号からパケットデータを抽出する。無線ＬＡＮ通信部１０５は抽出したパケットデータをネットワークへ出力する。
【００５１】
アンテナ１０７は、無線ＬＡＮ通信部１０５から出力された無線信号を、配下の端末２００−１，２００−２へ送信する。これにより、基地局１００は無線ＬＡＮによる無線通信方式によりパケットデータを端末２００−１，２００−２へ送信できる。
【００５２】
また、アンテナ１０７は、配下の端末２００−１，２００−２から送信された無線信号を受信し、受信した無線信号を無線ＬＡＮ通信部１０５へ出力する。
【００５３】
図４は端末２００−１，２００−２の構成例を表わす図である。端末２００−１，２００−２についても同一の構成のため、とくに断らない限り端末２００として説明する。
【００５４】
端末２００は、アンテナ２０１，２０２、ＬＴＥ通信部２０３、無線ＬＡＮ通信部２０４、振分部２０５を備える。
【００５５】
アンテナ２０１は、基地局１００から送信された無線信号を受信し、受信した無線信号をＬＴＥ通信部２０３へ出力する。また、アンテナ２０１は、ＬＴＥ通信部２０３から出力された無線信号を基地局１００へ送信する。
【００５６】
アンテナ２０２は、基地局１００から送信された無線信号を受信し、受信した無線信号を無線ＬＡＮ通信部２０４へ出力する。また、アンテナ２０２は、無線ＬＡＮ通信部２０４から出力された無線信号を基地局１００へ送信する。
【００５７】
ＬＴＥ通信部２０３は、例えば、ＬＴＥによる無線通信方式に合致した無線通信を行う。この場合、ＬＴＥ通信部２０３は、基地局１００によりスケジューリングされ、確保された無線リソースを用いて基地局１００と無線通信を行う。
【００５８】
例えば、ＬＴＥ通信部２０３は、アンテナ２０１から出力された無線信号に対して、当該無線リソースを用いて自局宛ての無線信号を抽出し、抽出した無線信号に対して周波数変換処理、復調処理、誤り訂正復号化処理などを施すことでパケットデータを抽出する。
【００５９】
また、例えば、ＬＴＥ通信部２０３はデータなどを受け取り、当該データに対して誤り訂正符号化処理、変調処理、周波数変換処理などを施すことで無線信号へ変換する。そして、ＬＴＥ通信部２０３は、例えば、基地局１００によりスケジューリングされた無線リソースを用いて、変換後の無線信号を基地局１００へ送信する。  
【００６０】
無線ＬＡＮ通信部２０４は、例えば、基地局から端末への無線通信、および他の基地局による無線通信で利用される無線リソースを共有する。無線ＬＡＮ通信部２０４は、例えば、共有する無線リソースを用いて、アンテナ２０２を介して基地局１００との間で無線通信を行う。無線ＬＡＮ通信部２０４では、例えば、周波数変換処理、変復調処理、誤り訂正符号化及び復号化化処理などにより、他のブロックから受け取ったデータを無線信号に変換したり、基地局から受信した無線信号からパケットデータを抽出することができる。
【００６１】
振分部２０５は、ＬＴＥ通信部２０３で抽出されたパケットデータと、無線ＬＡＮ通信部２０４で抽出されたパケットデータを、他のブロックへ出力する。また、他のブロックから受け取ったパケットデータを振り分けて、ＬＴＥ通信部２０３または無線ＬＡＮ通信部２０４へ出力する。
【００６２】
＜ＬＴＥ転送用バッファの構成例＞
次に、ＬＴＥ転送用バッファ１０２の構成例について説明する。図５はＬＴＥ転送用バッファ１０２の構成例を表わす図である。
【００６３】
ＬＴＥ転送用バッファ１０２は、転送用バッファ１０２１、キュー長検出部１０２２、キュー長通知部１０２３を備える。
【００６４】
転送用バッファ１０２１は、例えば、キュー方式（先入れ先出し方式）のメモリであって、振分部１０１から出力されたパケットデータを記憶する。転送用バッファ１０２１に記憶されたパケットデータはＬＴＥ通信部１０４によって読み出される。
【００６５】
キュー長検出部１０２２は、例えば、転送用バッファ１０２１に記憶される１パケット分のパケットデータのパケット長と、転送用バッファ１０２１から読み出される１パケット分のパケットデータのパケット長とを比較し、転送用バッファ１０２１内のキュー長を判別する。例えば、キュー長検出部１０２２は、転送用バッファ１０２１に記憶されるときに１パケット分のパケットデータのパケット長を加算し、転送用バッファ１０２１から読み出されるときに１パケット分のパケットデータのパケット長を減算し、その加算および減算の結果をキュー長とする。キュー長検出部１０２２は、検出したキュー長をキュー長通知部１０２３へ出力する。
【００６６】
キュー長通知部１０２３は、キュー長検出部１０２２から受け取ったキュー長を振分部１０１へ出力する。
【００６７】
ＬＴＥ転送用バッファ１０２では、例えば、転送用バッファ１０２１に記憶されるデータ量をキュー長として算出し、算出したキュー長をキュー長情報として振分部１０１へ出力する。
【００６８】
＜振分部の構成例＞
次に、振分部１０１の構成例について説明する。図６は振分部１０１の構成例を表わす図である。振分部１０１は、基準値超判別部１０１１、振分先切替部１０１５を備える。また、基準値超判別部１０１１は、キュー長基準値記憶部１０１２と比較部１０１３を備える。
【００６９】
キュー長基準値記憶部１０１２は、例えば、メモリであり、基準値を記憶する。
【００７０】
比較部１０１３は、ＬＴＥ転送用バッファ１０２から受け取ったキュー長と、キュー長基準値記憶部１０１２から読み出した基準値とを比較する。そして、比較部１０１３は、キュー長と基準値との比較結果を振分先切替部１０１５へ通知する。
【００７１】
振分先切替部１０１５は、ネットワークから受信したパケットデータをＬＴＥ転送用バッファ１０２へ優先的に振り分けて出力する。この場合、ＬＴＥ転送用バッファ１０２へ振り分けられたパケットデータは、確保された無線リソースを利用してＬＴＥによる無線通信方式で送信される。
【００７２】
しかし、振分先切替部１０１５は、基準値超判別部１０１１からキュー長が基準値を超える旨の比較結果を受けたとき、受信したパケットデータを無線ＬＡＮ転送用バッファ１０３へ切り替えて出力する。この場合、無線ＬＡＮ転送用バッファ１０３へ振り分けられたパケットデータは、無線ＬＡＮの無線リソースを用いて端末２００へ送信される。
【００７３】
なお、振分先切替部１０１５は、基準値超判別部１０１１からキュー長が基準値以下となる比較結果を受けたとき、パケットデータの振り分け先をＬＴＥ転送用バッファ１０２へ戻す。ＬＴＥの無線リソースに余裕があり、そのため、基地局１００はこの無線リソースを利用してパケットデータを送信する。
【００７４】
＜動作例＞
次に、第２の実施の形態における動作例について説明する。図７は振分処理の動作例を表わすフローチャートである。
【００７５】
基地局１００は本処理を開始すると（Ｓ１０）、ネットワークよりパケットが到着したか否かを判別する（Ｓ１１）。例えば、振分部１０１はネットワークからパケットデータを受信したか否かにより判別する。
【００７６】
基地局１００は、ネットワークからパケットデータを受信しないと（Ｓ１１でＮ）、受信するまで待つ（Ｓ１１でＮのループ）。
【００７７】
一方、基地局１００は、ネットワークからパケットデータを受信すると（Ｓ１１でＹ）、ＬＴＥ転送用バッファ１０２のキュー長が基準値を超えるか否かを判別する（Ｓ１２）。
【００７８】
例えば、基地局１００は、ＬＴＥにより利用可能な無線リソース量が閾値以上のときは、当該無線リソースを利用してパケットデータを送信できる。しかし、空き無線リソース量が閾値よりも少なくなったり、当該無線リソースが送信にすべて使われてしまうと、基地局１００は、当該無線リソースを利用してパケットデータを送信することができなくなる。このような場合、転送用バッファ１０２１にはパケットデータが滞留し、転送用バッファ１０２１への入力速度の方が出力速度よりも速くなり、ＬＴＥ転送用バッファが１０２のキュー長は基準値を超えることになる。例えば、基地局１００は、ＬＴＥ転送用バッファ１０２のキュー長が基準値を超えるか否かを判別することで、基地局１００はＬＴＥによる無線リソースを用いてパケットデータを送信できるか否かを判別している。キュー長は、例えば、ＬＴＥによる確保された無線リソースの使用量を表わしている。
【００７９】
基地局１００は、キュー長が基準値を超えないとき（Ｓ１２でＮ）、受信したパケットデータをＬＴＥ転送用バッファ１０２へ優先的に振り分ける（Ｓ１３）。
【００８０】
例えば、振分部１０１は、キュー長が基準値を超えていない旨の比較結果を受けると、受信したパケットデータをＬＴＥ転送用バッファ１０２へ振り分ける。当該パケットデータは、例えば、ＬＴＥ通信部１０４におけるスケジューラによって確保された無線リソースを用いて、端末２００へ送信される。
【００８１】
一方、基地局１００は、キュー長が基準値を超えるとき（Ｓ１２でＹ）、振り分け先を切り替えて、受信したパケットデータを無線ＬＡＮ転送用バッファ１０３へ振り分ける（Ｓ１４）。
【００８２】
例えば、振分部１０１は、キュー長が基準値を超えた旨の比較結果を受けるとＬＴＥ用に確保された無線リソースを利用してパケットデータを送信することが困難であると判別し、受信したパケットデータを無線ＬＡＮ転送用バッファ１０３へ振り分ける。当該パケットデータは、例えば、他の基地局が無線通信に利用する無線リソースと共有される無線リソースを用いて端末２００へ送信される。
【００８３】
このように本実施の形態においては、基地局１００は、受信したパケットデータをＬＴＥによる無線リソースを用いて送信できるよう優先的にＬＴＥ転送用バッファ１０２へ振り分ける（Ｓ１２でＮ，Ｓ１３）。そして、基地局１００は、ＬＴＥによる無線リソースを用いて送信が困難なパケットデータについては無線ＬＡＮによる無線リソースを用いて送信している（Ｓ１２でＹ，Ｓ１４）。
【００８４】
これにより、例えば、基地局１００ではＬＴＥによる無線リソースを用いて送信困難なパケットデータに対して無線ＬＡＮの無線リソースを用いて送信することができ、ＬＴＥと無線ＬＡＮの各無線リソースについて双方とも限界まで用いでデータを送信することができる。よって、基地局１００は無線リソースの有効活用を図ることができる。
【００８５】
また、基地局１００では、ＬＴＥ用に確保された無線リソースを最大限利用してパケットデータを送信しており、当該無線リソースに余裕が生じる場合と比較して、確保された無線リソースについて最大限利用しているため、スループットを向上させることができる。また、基地局１００は、確保された無線リソースを最大限利用して送信を行っており、かかる無線リソースに余裕がある場合と比較して、確保された無線リソースについての有効活用を図ることもできる。
【００８６】
＜第２の実施の形態におけるその他の例＞
次に、第２の実施の形態におけるその他の例について説明する。上述した例では、ＬＴＥを用いた無線通信方式における利用可能な無線リソース量を、例えば、ＬＴＥ転送用バッファ１０２におけるキュー長を利用して判別するようにした。本例では、リーキーバケットカウンタを利用して判別する例について説明する。リーキーバケットカウンタは、例えば、ＬＴＥ転送用バッファ１０２の転送用バッファ１０２１の動作を模倣したカウンタである。
【００８７】
図８は本例における基地局１００の構成例、図９は振分部１０１の構成例、図１０は本例における振分処理の動作例を表わすフローチャートの例をそれぞれ表わしている。
【００８８】
図８に示すように、基地局１００は、ＬＴＥ通信部１０４内にスケジューラ１０４１を備える。
【００８９】
スケジューラ１０４１は、例えば、ユーザ（又は端末２００）ごとに無線リソースの割り当てを行い、データを送信又は受信する際に利用するＭＣＳ（Modulation and Coding Scheme）を決定する。このような割り当てにより、基地局１００は確保された無線リソースを利用してパケットデータを送信できる。
【００９０】
この際、スケジューラ１０４１は、決定したＭＣＳに対応するデータレートを算出する。データレートは、例えば、単位時間あたりにユーザ（又は端末２００）に対して送信又は受信するデータ量（例えばｂｐｓ）を表わす。データレートは、例えば、スケジューラ１０４１がＭＣＳを算出後、内部メモリなどに記憶したテーブルを参照し、算出したＭＣＳに対応するデータを読み出すことで算出できる。或いは、スケジューラ１０４１は算出したＭＣＳに基づいて一定の算出式を利用してデータレートを算出してもよい。スケジューラ１０４１は、例えば、算出したデータレートをユーザＬＴＥレートとして、振分部１０１に出力する。
【００９１】
図９は振分部１０１の構成例を表わす図である。振分部１０１は、さらに、ＬＢＳ（Leaky Bucket Size）記憶部１０１６とＬＢＣ（Leaky Bucket Counter）比較部１０１７を備える。
【００９２】
ＬＢＳ記憶部１０１６は、例えば、メモリであって、ＬＢＳを記憶する。ＬＢＳは、例えば、ＬＴＥによる無線リソースを用いてパケットデータが送信可能か否かの閾値を表わしている。
【００９３】
ＬＢＣ比較部１０１７は、例えば、ユーザＬＴＥレート、パケットデータのパケット長（又はデータ長）、及びＬＢＳに基づいて、当該パケットデータがＬＴＥによる無線リソースで送信可能か否かについて判別し、その判別結果（又は比較結果）を振分先切替部１０１５へ出力する。
【００９４】
図１０は基地局１００の動作例を表わす図である。基地局１００は処理を開始すると（Ｓ２０）、ＬＢＣを「０」に設定する。例えば、ＬＢＣ比較部１０１７はＬＢＣのカウンタ値をカウントし、ＬＢＣを「０」にする。
【００９５】
次に、基地局１００は、パケットデータが到着したか否かを判別し（Ｓ２２）、到着していないと到着するまで待つ（Ｓ２２でＮのループ）。例えば、振分先切替部１０１５はネットワークからパケットデータを受信するとＬＢＣ比較部１０１７へ出力するため、ＬＢＣ比較部１０１７ではパケットデータを受け取るか否かにより本処理（Ｓ２２）を判別できる。
【００９６】
パケットデータが到着すると（Ｓ２２でＹ）、基地局１００は前回のパケット到着からの経過時間Ｔを設定する（Ｓ２３）。
【００９７】
例えば、図１０に示すフローチャートはパケットデータが到着する度に処理が行われる。経過時間Ｔは、例えば、本処理におけるパケットデータ（以下においては、今回のパケットデータと称する場合がある）の直前に到着したパケットデータ（以下において、前回のパケットデータと称する場合がある）に関し、前回のパケットデータが到着してから今回のパケットデータが到着するまでの経過時間を表わす。例えば、振分先切替部１０１５から受け取ったパケットデータに関して、その間隔をＬＢＣ比較部１０１７がカウントすることで経過時間Ｔを測定する。
【００９８】
次に、基地局１００は、（ＬＢＣ−Ｔ）と「０」とを比較して、いずれか大きい値を有する方を、ＬＢＣに設定する（Ｓ２４）。
【００９９】
例えば、ＬＢＣはＬＴＥ転送用バッファ１０２を模倣したカウンタであり、カウンタ値はＬＴＥ転送用バッファ１０２に記憶されたパケットデータが読み出されるまでにかかる時間を表わしている。  
【０１００】
前回のパケットデータが到着してから今回のパケットデータが到着するまでの経過時間Ｔの間に、ＬＴＥ転送用バッファ１０２に記憶されたパケットデータは読み出される。ＬＴＥ転送用バッファ１０２では、読み出されたパケットデータの分だけ記憶されたパケットデータのデータ量は減少する。（ＬＢＣ−Ｔ）は、例えば、経過時間Ｔ経過後において、ＬＴＥ転送用バッファ１０２に記憶された（又は残った）パケットデータが読み出されるまでにかかる時間を表わしている。
【０１０１】
例えば、ＬＢＣ比較部１０１７は、内部メモリに記憶したＬＢＣを読み出して、（ＬＢＣ−Ｔ）を計算し、「０」とを比較して、大きい方をＬＢＣとして内部メモリに記憶する。  
【０１０２】
次に、基地局１００は、今回のパケットデータの「パケット長」を「ＬＴＥユーザレート」で除算し、その結果をＳｕｂとして設定する（Ｓ２５）。
【０１０３】
例えば、「パケット長」は今回のパケットデータのうち１パケット分の長さを表わし、「ＬＴＥユーザレート」は今回のパケットデータについてのデータレート（例えばｂｐｓ）を表わしている。従って、Ｓｕｂは、例えば、今回到着したパケットデータのうち１パケットについて、当該パケットが到着してからＬＴＥ転送用バッファ１０２から読み出されて送信されるまでにかかる時間を表わしている。
【０１０４】
例えば、ＬＢＣ比較部１０１７は、振分先切替部１０１５から受け取ったパケットデータに対して１パケット分のパケット長を算出し、当該パケット長を、スケジューラ１０４１から受け取ったユーザＬＴＥレートで除算することでＳｕｂを算出する。
【０１０５】
次に、基地局１００は、Ｓ２４で算出したＬＢＣとＳ２５で算出したＳｕｂを加算し、加算値がＬＢＳよりも大きいか否かを判別する（Ｓ２６）。
【０１０６】
Ｓ２４で算出されたＬＢＣの加算値は、例えば、以下のことを表わしている。すなわち、ＬＴＥ転送用バッファ１０２に記憶されたパケットデータに対して、さらに、今回到着した１パケット分のデータをＬＴＥ転送用バッファ１０２へ記憶させたとき、ＬＴＥ転送用バッファ１０２に記憶された全パケットデータが送信されるまでにかかる時間を表わしている。
【０１０７】
従って、本処理（Ｓ２６）では、例えば、今回のパケットデータのうち１パケット分がＬＴＥ転送用バッファ１０２に記憶された後、ＬＴＥ転送用バッファ１０２に記憶された全パケットデータについてＬＴＥによる無線リソースを利用できるか否かを判別している。
【０１０８】
例えば、本処理（Ｓ２６）は、ＬＢＣ比較部１０１７がＳ２４で算出したＬＢＣを内部メモリから読み出してＳ２５で算出したＳｕｂと加算し、ＬＢＳ記憶部１０１６に記憶されたＬＢＳを読み出して、加算値を比較することで処理を行う。
【０１０９】
基地局１００は、ＬＢＣとＳｕｂの加算値がＬＢＳより大きくないとき（Ｓ２６でＮ）、到着したパケットデータのうち１パケットをＬＴＥ転送用バッファ１０２へ振り分ける（Ｓ２８）。
【０１１０】
一方、基地局１００は、ＬＢＣとＳｕｂの加算値がＬＢＳより大きいとき（Ｓ２６でＹ）、到着したパケットデータのうち１パケットを無線ＬＡＮ転送用バッファ１０３へ振り分ける（Ｓ２７）。
【０１１１】
基地局１００は、ＬＴＥ転送用バッファ１０２にパケットデータを振り分けたとき（Ｓ２８）、Ｓ２４で算出した値にＬＢＣに対してＳｕｂを加算してＬＢＣを更新する（Ｓ２９）。例えば、ＬＢＣ比較部１０１７は、Ｓ２６で算出した加算値を内部メモリに記憶することで、ＬＢＣを更新する。
【０１１２】
基地局１００は、Ｓ２７及びＳ２９の処理が終了すると、Ｓ２２へ移行し、新たなパケットデータの到着を待つことになる。
【０１１３】
このように、本例では、ＬＴＥ転送用バッファ１０３に記憶された全パケットデータと受信したパケットデータのうち１パケット分のパケットデータとを送信するのにかかる時間が閾値以上のとき、当該１パケットについてはＬＴＥによる無線リソースで送信できないと判別する。かかる場合、基地局１００は当該１パケットについて無線ＬＡＮによる無線リソースを用いて送信するようにしている。
【０１１４】
本例においても、上述した例と同様に、基地局１００ではＬＴＥによる無線リソースを用いて送信困難なパケットデータに対して無線ＬＡＮの無線リソースを用いて送信している（例えば、Ｓ２７）。従って、ＬＴＥと無線ＬＡＮの各無線リソースについて双方とも限界まで用いでデータを送信することができる。よって、基地局１００は無線リソースの有効活用を図ることができる。
【０１１５】
また、基地局１００では、確保された無線リソースを最大限利用してパケットデータを送信しており（Ｓ２６でＮ，Ｓ２８）、当該無線リソースに余裕が生じる場合と比較して、確保された無線リソースを最大限利用できるため、スループットを向上させることができる。この場合、基地局１００は、確保された無線リソースを最大限利用して送信を行っており、かかる無線リソースに余裕がある場合と比較して、確保された無線リソースについての有効活用化を図ることもできる。
【０１１６】
上述した例について、例えば、基地局１００はスケジューラ１０４１から無線リソースを割り当てることができない旨の通知を受けたとき、振り分け先をＬＴＥ転送用バッファ１０２から無線ＬＡＮ転送用バッファ１０３へ切り替えるようにしてもよい。この場合、例えば、Ｓ２３からＳ２６の処理がなく、ＬＢＣ比較部１０１７はスケジューラ１０４１から無線リソースを割り当てることができない旨の通知を受けるまでは優先してＬＴＥ転送用バッファ１０２を振り分け先とする。そして、ＬＢＣ比較部１０１７は当該通知を受けると無線ＬＡＮ転送用バッファ１０３へ切り替えるようにすればよい。
【０１１７】
本第１の実施の形態におけるその他の例としては、例えば、以下のようなものがある。すなわち、上述したいずれの例においても基地局１００にＬＴＥと無線ＬＡＮの各通信機能が内蔵された例で説明したが、無線ＬＡＮの通信機能が外付けの装置であってもよい。
【０１１８】
図１１は無線ＬＡＮ転送用バッファ１０３と無線ＬＡＮ通信部１０５が無線ＬＡＮ  ＡＰ（Access Point）１１０として、基地局１００に接続された場合の構成例を表わしている。振分部１０１における処理は上述した例と同様に行われる。
【０１１９】
また、図１２は、さらに、振分部１０１が振分多重装置１１５内に備えられ、基地局１００と別個の装置として配置された場合の構成例を表わしている。振分部１０１は上述した例と同様にパケットデータをＬＴＥ転送用バッファ１０２又は無線ＬＡＮ転送用バッファ１０３へ出力する。図１２の例では、振分部１０１は、基地局１００又は無線ＬＡＮ  ＡＰ１１０へ向けて振り分け、基地局１００はユーザＬＴＥレートを振分多重装置１１５へ向けて出力する。
【０１２０】
さらに、例えば、上述した例について組み合わせた例であってもよい。例えば、図１１について、ＬＴＥ通信部１０４がユーザＬＴＥレートを振分部１０１へ通知して、リーキーバケットカウンタを用いた処理（例えば図１０）が行われてもよい。また、図１２の例について、ＬＴＥ転送用バッファ１０２からキュー長が出力されて、キュー長に対する処理（例えば図７）が行われても良い。
【０１２１】
［第３の実施の形態］  
次に、第３の実施の形態について説明する。第３の実施の形態は、例えば、ＬＴＥによる無線通信方式について異なる周波数帯を利用して通信可能な基地局に対して適用した例である。
【０１２２】
図１３は本第３の実施の形態における基地局１００の構成例を表わしている。基地局１００は、さらに、低周波数帯ＬＴＥ転送用バッファ１２０、高周波数帯ＬＴＥ転送用バッファ１２１、低周波数帯ＬＴＥ通信部１２２、高周波数帯ＬＴＥ通信部１２３を備える。
【０１２３】
ＬＴＥを利用した無線通信方式においては、例えば、複数の周波数帯域を用いて無線通信が行われる場合がある。例えば、周波数帯が異なると、電波の到達性や周囲からの干渉雑音が異なり、基地局１００と端末２００間の通信品質もそれに応じて異なる。通信品質は、例えば、端末２００において算出されて基地局１００へ通知され、基地局１００は通知された通信品質に基づいてＭＣＳを選択する。
【０１２４】
本第３の実施の形態では、例えば、基地局１００は、ＬＴＥによる無線通信方式について高周波数帯と低周波数帯の２つに分け、エラー発生率が低い、すなわち通信品質の良好な周波数帯を優先して無線通信を行う。そして、基地局１００は、例えば、当該周波数帯の利用可能な無線リソース量が閾値以上になると通信品質の低い周波数帯を利用して無線通信を行う。
【０１２５】
低周波数帯ＬＴＥ転送用バッファ１２０は、振分部１０１から出力されたパケットデータを記憶する。低周波数帯ＬＴＥ転送用バッファ１２０に記憶されたパケットデータは、低周波数帯ＬＴＥ通信部１２２により読み出されて、高周波数帯ＬＴＥ通信部１２３が使用する周波数帯よりも低い周波数帯の無線リソースを利用して送信される。
【０１２６】
なお、本第２の実施の形態において、低周波数帯ＬＴＥ転送用バッファ１２０は、第１の実施の形態におけるＬＴＥ転送用バッファ１０２（例えば図５）と同様にキュー長情報を出力する。低周波数帯ＬＴＥ転送用バッファ１２０は、例えば図５に示すＬＴＥ転送用バッファ１０２と同様に転送用バッファ１０２１、キュー長情報検出部１０２２、キュー長通知部１０２３を備えてもよい。
【０１２７】
低周波数帯ＬＴＥ通信部１２２は、低周波数帯ＬＴＥ転送用バッファ１２０に記憶されたパケットデータに対して、誤り訂正符号化処理や変調処理、周波数変換処理などを施して無線信号に変換し、当該無線信号をアンテナ１０６へ出力する。また、低周波数帯ＬＴＥ通信部１２２は、アンテナ１０６から受け取った無線信号に対して、周波数変換処理や復調処理、誤り訂正復号化処理などを施して、パケットデータを抽出する。低周波数帯ＬＴＥ通信部１２２では、このような処理が行われるよう内部に誤り訂正符号化回路、変復調回路、周波数変換回路などを備えるようにしてもよい。
【０１２８】
なお、本第３の実施の形態における低周波数帯ＬＴＥ通信部１２２は、端末２００から受信した品質情報に基づいてエラー発生率情報を算出して振分部１０１へ出力する。低周波数帯ＬＴＥ通信部１２２の詳細は後述する。
【０１２９】
高周波数帯ＬＴＥ転送用バッファ１２１は、振分部１０１から出力されたパケットデータを記憶する。高周波数帯ＬＴＥ転送用バッファ１２１に記憶されたパケットデータは、高周波数帯ＬＴＥ通信部１２３により読み出されて、低周波数帯ＬＴＥ通信部１２２が使用する周波数帯よりも高い周波数帯の無線リソースを利用して送信される。
【０１３０】
高周波数帯ＬＴＥ通信部１２３は、高周波数帯ＬＴＥ転送用バッファ１２１に記憶されたパケットデータに対して、誤り訂正符号化処理や変調処理、周波数変換処理などを施して無線信号に変換し、当該無線信号をアンテナ１０７へ出力する。また、高周波数帯ＬＴＥ通信部１２３は、アンテナ１０７から受け取った無線信号に対して、周波数変換処理や復調処理、誤り訂正復号化処理などを施して、パケットデータを抽出する。高周波数帯ＬＴＥ通信部１２３では、このような処理が行われるよう内部に誤り訂正符号化回路、変復調回路、周波数変換回路などを備えるようにしてもよい。
【０１３１】
なお、高周波数帯ＬＴＥ通信部１２３も、端末２００から受信した品質情報に基づいてエラー発生率情報を算出して振分部１０１へ出力する。高周波数帯ＬＴＥ通信部１２３の詳細については後述する。
【０１３２】
また、低周波数帯ＬＴＥ通信部１２２と高周波数帯ＬＴＥ通信部１２３は、ともにＬＴＥによる無線通信方式により端末２００との間で無線通信を行う。
【０１３３】
図１４は低周波数帯ＬＴＥ通信部１２２の構成例を表わす図である。低周波数帯ＬＴＥ通信部１２２は、送信部１２２１、受信部１２２２、スケジューラ１２２３、テーブル１２２４、及びエラー情報抽出部１２２５を備える。
【０１３４】
送信部１２２１は、例えば、パケットデータに対して誤り訂正符号化処理などを施して、パケットデータを無線信号に変換してアンテナ１０６へ出力する。送信部１２２１は、例えば、スケジューラ１２２３において決定されたＭＣＳを利用して誤り訂正符号化処理や変調処理などを行い、スケジューラ１２２３においてスケジューリングされた無線リソースを利用して無線信号をアンテナ１０６へ出力する。
【０１３５】
受信部１２２２は、例えば、アンテナ１０６から受け取った無線信号に対して、誤り訂正復号化処理などを施して、パケットデータを抽出する。受信部１２２２も、例えば、スケジューラ１２２３においてスケジューリングされた無線リソースを利用して、当該ユーザに対する無線信号を抽出し、決定されたＭＣＳを利用して復調処理などを施すことで、無線信号からパケットデータを抽出する。
【０１３６】
また、受信部１２２２は、例えば、端末２００において測定された品質情報を無線信号として受信し、無線信号から品質情報を抽出する。品質情報としては、例えば、受信電力やＳＮＲ（Signal to Noise Ratio）などである。受信部１２２２は、抽出した品質情報をスケジューラ１２２３とエラー情報抽出部１２２５へ出力する。
【０１３７】
なお、品質情報は、例えば、端末２００のＬＴＥ通信部２０３（例えば図４）において測定される。この場合、ＬＴＥ通信部２０３は、例えば、基地局１００から送信された無線信号に対して、受信電力やＳＮＲなどを測定することで品質情報を測定する。ＬＴＥ通信部２０３は品質情報を無線信号に変換して基地局１００へ送信する。
【０１３８】
スケジューラ１２２３は、例えば、受信部１２２２から受け取った品質情報に基づいてＭＣＳを決定したり、端末２００に対してどの無線リソースを用いて送信及び受信を行うかのスケジューリングを行う。スケジューラ１２２３は、例えば、送信部１２２１に対してスケジューリングやＭＣＳに関する情報を出力する。また、スケジューラ１２２３は、例えば、決定したＭＣＳをエラー情報抽出部１２２５へ出力する。
【０１３９】
テーブル１２２４は、例えば、メモリであって、品質情報とＭＣＳ、これらに対応するエラー発生率を記憶する。エラー発生率情報としては、例えば、ブロック誤り率（Block Error Rate）がある。ブロック誤り率は、例えば、一定期間におけるトランスポートブロックの総数に対してＣＲＣ（Cyclic Redundancy Check）エラーとなったブロック数の比率を表わす。ブロック誤り率は、例えば、品質情報とＭＣＳに応じた比率となっている。
【０１４０】
エラー情報抽出部１２２５は、品質情報とＭＣＳを受け取ると、品質情報とＭＣＳに対応するエラー発生率情報をテーブル１２２４から読み出すことで、エラー発生率情報（又はエラー情報）を抽出する（又は生成する）。エラー情報抽出部１２２５は、抽出したエラー発生率情報を振分部１０１へ出力する。
【０１４１】
高周波数帯ＬＴＥ通信部１２３も、例えば、図１４に示すように、低周波数帯ＬＴＥ通信部１２２と同様の構成である。ただし、高周波数帯ＬＴＥ通信部１２３における送信部１２２１と受信部１２２２は、処理可能な周波数帯が低周波数帯ＬＴＥ通信部１２２におけるものよりも高周波数帯となっている。
【０１４２】
図１５は本第２の実施の形態における振分部１０１の構成例を表わす図である。振分部１０１は、さらに、第１及び第２の基準値超判別部１０１１−１，１０１１−２と、品質比較部１０１８を備える。
【０１４３】
第１の基準値超判別部１０１１−１は、第１のキュー長基準値記憶部１０１２−１と第１の比較部１０１３−１を備える。また、第２の基準値超判別部１０１１−２は、第２のキュー長基準値記憶部１０１２−２と第２の比較部１０１３−２を備える。
【０１４４】
第１及び第２のキュー長基準値記憶部１０１２−１，１０１２−２は、例えば、キュー長基準値をそれぞれ記憶する。
【０１４５】
第１の比較部１０１３−１は、低周波数帯ＬＴＥ転送用バッファ１２０から出力されたキュー長情報と第１のキュー長基準値記憶部１０１２−１から読み出したキュー長基準値とを比較し、その比較結果を振分先切替部１０１５へ出力する。
【０１４６】
第２の比較部１０１３−２は、高周波数帯ＬＴＥ転送用バッファ１２１から出力されたキュー長情報と、第２のキュー長基準値記憶部１０１２−２から読み出したキュー長情報基準値とを比較し、その比較結果を振分先切替部１０１５へ出力する。  
【０１４７】
品質比較部１０１８は、低周波数帯ＬＴＥ通信部１２２と高周波数帯ＬＴＥ通信部１２３からそれぞれ出力された品質情報について、どちらかが品質が良いかを判別し、判別結果を振分先切替部１０１５へ出力する。
【０１４８】
振分先切替部１０１５は、低周波数帯ＬＴＥ通信部１２２から出力された品質情報が、高周波数帯ＬＴＥ通信部１２３から出力された品質情報よりも良好な品質であるとき、パケットデータの振り分け先を優先的に低周波数帯ＬＴＥ転送用バッファ１２０側とする。一方、振分先切替部１０１５は、高周波数帯ＬＴＥ通信部１２３から出力された品質情報が、低周波数帯ＬＴＥ通信部１２２から出力された品質情報よりも良好な品質であるとき、パケットデータの振り分け先を優先的に高周波数帯ＬＴＥ転送用バッファ１２１側とする。そして、振分先切替部１０１５は、優先的な振分先のバッファ１２０又は１２１について、キュー長が基準値を超えるとき、振分先を優先的な周波数帯側ではない周波数帯側へ切り替える。
【０１４９】
図１６は本第３の実施の形態における動作例を表わすフローチャートである。基地局１００は本処理を開始すると（Ｓ４０）、ネットワークよりパケットが到着したか否かを判別する（Ｓ４１）。
【０１５０】
基地局１００は、パケットデータを受信しなと受信するまで待ち（Ｓ４１でＮｏのループ）、パケットデータを受信すると（Ｓ４１でＹ）、高周波数帯のエラー発生率は低周波数帯のエラー発生率よりも高いか否かを判別する（Ｓ４２）。
【０１５１】
例えば、品質比較部１０１８は、高周波数帯のエラー発生率と低周波数帯のエラー発生率を受け取り、両者を比較して品質の良い方を選択する。例えば、品質比較部１０１８は品質の良い周波数帯を振分先切替部１０１５へ通知する。
【０１５２】
基地局１００は、高周波数帯のエラー発生率の方が低周波数帯のエラー発生率よりも高いときであって（Ｓ４２でＹ）、低周波数帯ＬＴＥ転送用バッファ１２０のキュー長が基準値を超えないとき（Ｓ４３でＮ）、パケットデータを低周波数帯ＬＴＥ転送用バッファ１２０へ優先的に振り分ける（Ｓ４６）。
【０１５３】
この場合、基地局１００は、例えば、低周波数帯の方が高周波数帯よりも通信品質が良好で、パケットデータを低周波数帯ＬＴＥ転送用バッファ１２０へ優先して振り分けて、低周波数帯の無線リソースを用いてパケットデータを送信するようにしている。
【０１５４】
例えば、第１の比較部１０１３−１が低周波数帯ＬＴＥ転送用バッファ１２０からのキュー長情報がキュー長基準値を超えないと判別すると、その判別結果を振分先切替部１０１５へ出力する。振分先切替部１０１５は、当該判別結果に基づいて振分先を低周波数帯ＬＴＥ転送用バッファ１２０とする。
【０１５５】
そして、処理はＳ４１へ戻り、基地局１００は上述した処理を繰り返す。
【０１５６】
一方、基地局１００は、低周波数帯のキュー長が基準値を超えるとき（Ｓ４３でＹ）、振り分け先を切り替えて、パケットデータを高周波数帯ＬＴＥ転送用バッファ１２１へ振り分ける（Ｓ４４）。
【０１５７】
この場合、基地局１００は、例えば、低周波数帯の方が高周波数帯よりも通信品質が良好ではあるが、低周波数帯の利用可能な無線リソース量は閾値以下となっているため、低周波数帯の無線リソースを用いて送信できないことを判別している。この場合、基地局は、振り分け先を高周波数帯ＬＴＥ転送用バッファ１２１へ切り替えて、高周波数帯の無線リソースを用いてパケットデータを送信する。
【０１５８】
例えば、第１の比較部１０１３−１が低周波数帯ＬＴＥ転送用バッファ１２０からのキュー長情報がキュー長基準値を超えるとき、その判別結果を振分先切替部１０１５へ出力する。振分先切替部１０１５は、当該判別結果に基づいて振り分け先を高周波数帯ＬＴＥ転送用バッファ１２１へ切り替える。
【０１５９】
そして、処理はＳ４１へ移行し、基地局１００は上述の処理を繰り返す。
【０１６０】
一方、高周波数帯のエラー発生率が低周波数帯のエラー発生率よりも高くないときであって（Ｓ４２でＮ）、高周波数帯ＬＴＥ用転送バッファ１２１のキュー長が基準値を超えないとき（Ｓ４５でＮ）、パケットデータを高周波数帯ＬＴＥ転送等バッファ１２１へ優先的に振り分ける（Ｓ４４）。
【０１６１】
この場合、基地局１００は、例えば、高周波数帯の方が低周波数帯よりも通信品質が良好であり、高周波数帯の無線リソースを用いてパケットデータを送信できることを判別している。
【０１６２】
そして、処理はＳ４１へ移行し、基地局１００は上述の処理を繰り返す。
【０１６３】
一方、基地局１００は、高周波数帯のキュー長が基準値を超えるとき（Ｓ４５でＹ）、パケットデータを低周波数帯ＬＴＥ転送用バッファ１２０へ振り分ける（Ｓ４６）。
【０１６４】
この場合、基地局１００は、例えば、高周波数帯の方が低周波数帯よりも通信品質が良好であるが、高周波数帯側における利用可能な無線リソース量が閾値以下となっており、高周波数帯側の無線リソースは利用できないと判別している。この場合、基地局１００は、低周波数側のＬＴＥによる無線リソースを用いてパケットデータを送信する。
【０１６５】
そして、処理はＳ４１へ移行し、基地局１００は上述の処理を繰り返す。
【０１６６】
本第２の実施の形態では、例えば、基地局１００は品質の良好な周波数帯による無線リソースを利用して優先的に無線通信を行い、当該無線リソースでは送信が困難なパケットデータについては、品質の劣る他方の周波数帯を用いてパケットデータを送信している。
【０１６７】
従って、基地局１００は、例えば、品質の優れた方の周波数帯における無線リソースを最大限利用して送信を行い、当該無線リソースでは送信困難な場合に他方の周波数帯による無線リソースを用いており、双方の無線リソースを最大限利用している。よって、本第３の実施の形態にでは、無線リソースの有効活用化を図ることができる。  
【０１６８】
また、基地局１００は、例えば、品質の優れた方の周波数帯における無線リソースを最大限利用して送信を行っている。そのため、当該周波数帯による無線リソースの一部が余る場合と比較して、本第３の実施の形態では無線リソースの有効活用化を図ることができる。
【０１６９】
さらに、基地局１００は、例えば、品質の優れた他方の周波数帯を優先的に用いて送信を行うため、一方の周波数帯だけを用いて送信を行う場合と比較して、再送が行われる可能性も低くなる。従って、本第３の実施の形態においてはスループットの向上を図ることもできる。  
【０１７０】
＜第３の実施の形態におけるその他の例＞
次に第３の実施の形態におけるその他の例について説明する。図１７から図１９はその他の例を説明するための図である。上述した例では、優先的に一方の周波数帯に振り分けたパケットデータに対しては、キュー長情報に基づいて他の周波数帯へ切り替える例を説明した。本例では、無線リソース割り当て率に基づいて振り分けを切り替える例について説明する。
【０１７１】
図１７は本例における基地局１００の構成例である。低周波数帯ＬＴＥ通信部１２２は、低周波数帯の無線リソース割り当て率を算出して振分部１０１へ出力する。高周波数帯ＬＴＥ通信部１２３は、高周波数帯の無線リソース割り当て率を算出して振分部１０１へ出力する。
【０１７２】
各ＬＴＥ通信部１２２，１２３は、例えば、スケジューラを有しており、配下のユーザ（又は端末２００）に無線リソースを割り当てる。無線リソース割り当て率は、例えば、１無線フレーム分のリソースブロック（ＲＢ）数に対する、ユーザへの割り当てが行われたリソースブロック数の比率を表わす。
【０１７３】
図１８は低周波数帯ＬＴＥ通信部１２２の構成例を表わしている。スケジューラ１２２３は、例えば、基地局１００配下の端末２００に対して無線リソースの割り当てを行う。このとき、スケジューラ１２２３は、無線リソース割り当て率を算出し、算出した無線リソース割り当て率を振分部１０１へ出力する。なお、図１８は高周波数帯ＬＴＥ通信部１２３の構成例も表わす。
【０１７４】
図１９は本例における動作例を示すフローチャートである。例えば、基地局１００の振分部１０１において行われる。
【０１７５】
基地局１００は、パケットデータを受信後（Ｓ４１でＹ）、低周波数帯のエラー発生率と高周波数帯のエラー発生率について、高周波数帯のエラー発生率の方が低周波数帯のエラー発生率よりも高いか否かを判別する（Ｓ４２）。
【０１７６】
基地局１００は、高周波数帯の方が低周波数帯よりもエラー発生率が高く（Ｓ４２でＹ）、低周波数帯の無線リソース割り当て率が基準値を超えないとき（Ｓ５１でＮ）、パケットデータを低周波数帯ＬＴＥ転送用バッファ１２０へ優先的に振り分ける（Ｓ４６）。
【０１７７】
例えば、基地局１００は、低周波数帯側の方が高周波数帯側よりも通信品質は良好で、低周波数帯側の無線リソースを用いてパケットデータを送信できることを判別している。
【０１７８】
一方、基地局１００は、低周波数帯の無線リソース割り当て率が基準値を超えたとき（Ｓ５１でＹ）、パケットデータを高周波数帯ＬＴＥ転送用バッファ１２１へ振り分ける（Ｓ４４）。
【０１７９】
例えば、基地局１００は、低周波数帯の方が高周波数帯よりも通信品質は良好であるが、低周波数帯における利用可能な無線リソース量は閾値以下となっており、低周波数帯の無線リソースは利用できないと判別している。この場合、基地局１００は、パケットデータを高周波数帯ＬＴＥ転送用バッファ１２１へ振り分けて、高周波数帯の無線リソースを用いてパケットデータを送信する。
【０１８０】
また、基地局１００は、高周波数帯のエラー発生率が低周波数帯のエラー発生率よりも高くないとき（Ｓ４２でＮ）、高周波数帯の無線リソース割り当て率が基準値を超えないとき（Ｓ５２でＮ）、パケットデータを高周波数帯ＬＴＥ転送用バッファ１２１へ優先的に振り分ける。
【０１８１】
例えば、基地局１００は、高周波数帯の方が低周波帯よりも通信品質は良好で、高周波数帯の無線リソースを用いてパケットデータを送信できることと判別している。
【０１８２】
一方、基地局１００は、高周波数帯の無線リソース割り当て率が基準値を超えたとき（Ｓ５２でＹ）、パケットデータを低周波数帯ＬＴＥ転送用バッファ１２０へ振り分ける（Ｓ４６）。
【０１８３】
例えば、基地局１００は、高周波数帯の方が低周波帯よりも通信品質は良好ではあるが、高周波数帯の利用可能な無線リソース量は閾値以下となっており、高周波数帯の無線リソースは利用できないと判別している。この場合、基地局１００は、パケットデータを低周波数帯ＬＴＥ転送用バッファ１２０へ振り分けて、低周波数帯の無線リソースを用いてパケットデータを送信する。
【０１８４】
このように、本基地局１００は、例えば、キュー長に代えて無線リソース割り当て率を用いることで利用可能な無線リソース量を判別している。無線リソース割り当て率による判別により、基地局１００は優先的に振り分けた周波数帯側の無線リソースを最大限利用し、利用できなくなると他方の周波数帯の無線リソースを用いることができ、無線リソースを有効活用できる。
【０１８５】
また、基地局１００は、通信品質が閾値より良い方の周波数帯側の無線リソースを最大限利用しているため、当該無線リソースの一部を利用しない場合と比較して、スループットを向上させ、無線リソースを有効活用することもできる。
【０１８６】
上述した第３の実施の形態では２種の周波数帯が利用される例について説明した。周波数帯については、例えば、第１の周波数帯と、第１の周波数帯よりも周波数帯の高い第２の周波数帯と、第２の周波数帯よりも周波数帯が高い第３の周波数帯など３種以上の周波数帯が利用されてもよい。
【０１８７】
また、無線通信方式についても、例えば、ＬＴＥとＷｉＭＡＸや、ＬＴＥとＷｉＭＡＸ、３Ｇなどのように２種以上の無線通信方式が利用されてもよい。
【０１８８】
さらに、周波数帯と無線通信方式を組み合わせて実施することも可能である。図２０は、ＬＴＥの低周波帯と高周波数帯、及び無線ＬＡＮとを組み合わせた場合の基地局１００の構成例を表わしている。また、図２１はこのような基地局１００における動作例を示すフローチャートを表わしている。図２１に示すフローチャートは、例えば、振分部１０１において行われる。
【０１８９】
基地局１００は、パケットデータを受信後（Ｓ４１でＹ）、高周波数帯のエラー発生率が高周波数帯のエラー発生率よりも高く（Ｓ４２でＹ）、低周波数帯のキュー長が基準値を超えないとき（Ｓ６１でＮ）、低周波数帯ＬＴＥ転送用バッファ１２０へパケットデータを優先的に振り分ける（Ｓ４６）。
【０１９０】
この場合は、例えば、基地局１００は、低周波数帯の方が高周波数帯よりも通信品質が良好であり、低周波数帯の無線リソースも利用可能であると判別している。
【０１９１】
一方、基地局１００は、低周波数帯のキュー長は基準値を超えて（Ｓ６１でＹ）、高周波数帯のキュー長が基準値を超えないとき（Ｓ６２でＮ）、高周波数帯ＬＴＥ転送バッファ１２１へパケットデータを振り分ける。
【０１９２】
この場合は、例えば、基地局１００は低周波数帯の利用可能な無線リソース量が閾値以下となって、当該無線リソースを利用できないと判別して、振り分け先を切り替えて、パケットデータを高周波数帯ＬＴＥ転送用バッファ１２０へ振り分ける。
【０１９３】
また、基地局１００は、高周波数帯のキュー長が基準値を超えるとき（Ｓ６２でＹ）、振り分け先を切り替えて、パケットデータを無線ＬＡＮ転送用バッファ１０３へ振り分ける（Ｓ６５）。
【０１９４】
この場合は、例えば、基地局１００は低周波数帯における利用可能な無線リソースも、高周波数帯における利用可能な無線リソースも双方とも閾値以下となって、ＬＴＥの無線リソースを利用できないと判別している。この場合、基地局１００は振り分け先を切り替えて、パケットデータを無線ＬＡＮ転送用バッファ１０３へ振り分ける。
【０１９５】
一方、基地局１００は、高周波数帯のエラー発生率が低周波数帯のエラー発生率よりも高くないときであって（Ｓ４２でＮ）、高周波数帯のキュー長が基準値を超えないとき（Ｓ６３でＮ）、優先的に高周波数帯ＬＴＥ転送用バッファ１２１へパケットデータを振り分ける（Ｓ４４）。  
【０１９６】
この場合は、例えば、基地局１００は高周波数帯の方が低周波数帯よりも通信品質が良好であり、高周波数帯の無線リソースが利用可能であると判別している。
【０１９７】
一方、基地局１００は、高周波数帯のキュー長が基準値を超えるときであって（Ｓ６３でＹ）、低周波数帯のキュー長が基準値を超えないとき（Ｓ６４でＮ）、低周波数帯ＬＴＥ転送用バッファ１２０へパケットデータを振り分ける（Ｓ４６）。
【０１９８】
この場合、例えば、基地局１００は高周波数帯の方が低周波数帯よりも通信品質が良好であるが、高周波数帯の利用可能な無線リソース量は閾値以下となって、高周波数帯の無線リソースは利用できないと判別している。この場合、基地局１００は振り分け先を切り替えて、パケットデータを低周波数帯転送用バッファ１２１へ出力する。
【０１９９】
また、基地局１００は、低周波数帯のキュー長も基準値を超えるとき（Ｓ６４でＹ）、無線ＬＡＮ転送用バッファ１０３へパケットデータを振り分ける（Ｓ６５）。
【０２００】
この場合は、例えば、基地局１００は高周波数帯も低周波数帯も利用可能な無線リソースは閾値以下となってＬＴＥの無線リソースを利用できないと判別して、パケットデータを無線ＬＡＮ転送用バッファ１０３へ出力する。
【０２０１】
図２２は同様に組み合わせの例であり、ＬＴＥの低周波数帯と高周波数帯、及びＷｉＭＡＸを組み合わせた場合の基地局１００の構成例を表わす。基地局１００は、さらに、ＷｉＭＡＸ転送用バッファ１３０とＷｉＭＡＸ通信部１３１を備える。
【０２０２】
ＷｉＭＡＸ転送用バッファ１３０は、例えば、ネットワークから受信したパケットデータを記憶し、記憶されたパケットデータはＷｉＭＡＸ通信部１３１により適宜読み出される。ＷｉＭＡＸ転送用バッファ１３０の構成例は、例えば、低周波数帯ＬＴＥ転送用バッファ１２０などと同様に図５に示される。
【０２０３】
ＷｉＭＡＸ通信部１３１は、例えば、ＩＥＥＥ８０２．１６ｅなどにより規格化された無線通信方式に従って、アンテナ１０８を介して配下の端末２００と無線通信を行う。ＷｉＭＡＸでも、ＬＴＥによる場合と同様に、スケジューラなどでスケジューリングされ、確保された無線リソースを用いてパケットデータの送信が行われる。ＷｉＭＡＸ通信部１３１の構成例も、例えば、図１４に示される。この場合、送信部１２２１と受信部１２２２が上記した無線通信方式で無線通信を行う。
【０２０４】
図２２に示す基地局１００の動作例は、例えば、図２１のＳ６５をＷｉＭＡＸ転送用バッファ１３０へパケットを振り分けることに代えることで実施することができる。
【０２０５】
図２０から図２２で示されるように、２種以上の無線通信方式と２種以上の周波数帯を組み合わせても実施可能である。この場合、基地局１００は、通信品質の良好な周波数帯又は無線リソースが確保された無線通信方式を優先的に利用してデータを送信する。そして、基地局１００は、当該送信において利用可能な無線リソース量が閾値以下になると、通信品質が良好でない周波数帯又は無線リソースが他の基地局と共有される無線通信方式へ切り替える。
【０２０６】
従って、基地局１００は、無線リソースが確保された無線通信方式が最大限利用されるため、無線リソースを有効的に活用できる。また、基地局は通信品質が良好な周波数帯又は無線リソースが確保された無線通信方式が最大限利用されるため、要求されたスループットも確保することもできるし、その一部しか利用されない場合と比較してスループットの向上を図ることができる。
【０２０７】
なお、上述した第３の実施の形態において、振分部１０１は、例えば、エラー発生率情報に基づいて通信品質の優れた一方の周波数帯のＬＴＥによる無線通信方式を優先して、パケットデータを振り分けた。例えば、振分部１０１は、端末２００から送信された品質情報をそのまま用いて通信品質の優れた周波数帯側にパケットデータを振り分けるようにしてもよい。この場合、低周波数帯ＬＴＥ通信１２２と高周波数帯ＬＴＥ通信部１２３は、端末２００から送信された品質情報を振分部１０１へ出力する。品質情報としては、例えば、ＣＱＩ（Channel Quality Indicator）などのインデックス値であってもよい。
【０２０８】
［第４の実施の形態］
次に、第４の実施の形態について説明する。第４の実施の形態では、例えば、端末２００またはフローごとに優先順位が付与されている場合の適用例について説明する。
【０２０９】
図２３は本第４の実施の形態における無線通信システム１０の構成例とフローがどのように端末２００へ送信されるかの例を表わしている。フローとは、例えば、アプリケーション又はサービスごとに行われる通信のことである。フローの例としては、音声通話のフロー、映像配信のフロー、Ｗｅｂのフロー、ＦＴＰ（File Transfer Protocol）のフローなどがある。以下においては、フローごとに優先順位が付与された場合の例について説明する。
【０２１０】
図２３に示すように、各フローについては優先度が付与されている。例えば、音声通話のフローが最も優先度が高く、映像配信のフロー、Ｗｅｂのフロー、ＦＴＰのフローの順に優先度が低くなっている。
【０２１１】
本第４の実施の形態では、優先順位によって各フローがグループ分けされ、自パケットが含まれるフローよりも高優先度の１又は複数のフローを含むグループ（以下では、例えば、フロー群と称する場合がある）はＬＴＥを用いて通信が行われる。例えば、音声通話と映像配信の各フローは高優先度のフロー群として、ＬＴＥを用いた無線通信が行われる。
【０２１２】
そして、受信したパケットデータが含まれるフローを含むフロー群についてＬＴＥの無線リソースが不足する場合は、受信したパケットデータが含まれるフロー群より高優先度のフロー群についてはＬＴＥを用いて無線通信を行う。高優先度以外のフロー群は、例えば、無線ＬＡＮを用いた通信が行われる。
【０２１３】
例えば、Ｗｅｂのフローに関するパケットデータを受信した場合、Ｗｅｂのフローより高優先度のフロー群である音声通話と映像配信のフローに関するパケットデータはＬＴＥによる無線通信が行われる。この場合、Ｗｅｂフローに関するパケットデータは無線ＬＡＮによる無線通信が行われる。
【０２１４】
図２４は本第４の実施の形態における動作例を表わすフローチャートである。ただし、本第４の実施の形態における基地局１００の構成例は、例えば、図３に示される。
【０２１５】
基地局１００は、処理を開始すると（Ｓ８０）、パケットデータを受信し、さらに当該パケットデータより高優先度のフロー群に含まれるパケットデータも受信する。
【０２１６】
例えば、基地局１００は、Ｗｅｂフローに関連するパケットデータを受信し、当該パケットデータよりも高優先度のグループ群に含まれる音声通話と映像配信の各フローに関連するパケットデータも受信する。
【０２１７】
次に、基地局１００は、自パケットデータより高優先度のフロー群の転送に必要な無線リソースの合計量はＬＴＥの無線リソース量より少ないか否かを判別する（Ｓ８１）。
【０２１８】
例えば、自パケットデータより高優先度のフロー群の転送に必要な無線リソースの合計量は、図２３の「Ｘ」で示される。「Ｘ」は、例えば、音声通話と映像配信の各フローの合計を表わしている。
【０２１９】
Ｓ８１の処理では、例えば、振分部１０１が受信パケットデータより高優先度のグループはＬＴＥの無線リソースを用いて送信できるか否かを判別している。振分部１０１は、例えば、受信パケットデータが含まれるフローよりも高優先度のフロー群に含まれるパケットデータのデータ量に相当する無線リソース量を算出し、ＬＴＥ通信部１０４から取得したＬＴＥ用の無線リソース量と比較することで処理することができる。
【０２２０】
基地局１００は、自パケットデータより高優先度のフロー群の転送に必要な無線リソースの合計量がＬＴＥの無線リソース量より少ないとき（Ｓ８１でＹ）、自パケットのフロー群を含み、高優先度のフロー群に対する無線リソースの合計量がＬＴＥの無線リソース量より低いか否かを判別する（Ｓ８２）。
【０２２１】
例えば、自パケットのフロー群を含み、高優先度のフロー群に対する無線リソースの合計量は図２３の「Ｙ」で示される。自パケットデータとして、例えば、Ｗｅｂフローに関するパケットデータであるとき、「Ｙ」はこのＷｅｂ、音声通話、及び映像配信の各フローの合計を表わしている。
【０２２２】
例えば、振分部１０１は、受信パケットデータのデータ量に相当する無線リソース量を算出し、Ｓ８１で算出した無線リソースの合計量に加算し、加算値とＬＴＥ通信部１０４から取得したＬＴＥ用の無線リソース量と比較することで処理を行う。
【０２２３】
基地局１００は、自パケットのフロー群を含み、高優先度のフロー群に対する無線リソースの合計量がＬＴＥの無線リソース量より低いとき（Ｓ８２でＹ）、受信した自パケットデータと、高優先度のフロー群に含まれるパケットデータをＬＴＥ転送用バッファ１０２へ振り分ける（Ｓ８３）。そして、基地局１００は一連の処理を終了させる（Ｓ８４）。
【０２２４】
この場合は、例えば、基地局１００は自パケットと高優先度のフロー群に属するパケットについては全てＬＴＥの無線リソースを用いて送信できることを判別している。
【０２２５】
一方、基地局１００は、自パケットのフロー群を含み、高優先度のフロー群に対する無線リソースの合計量がＬＴＥの無線リソース量より低くないとき（Ｓ８２でＮ）、ＬＴＥの無線リソースは不足しているか否かを判別する（Ｓ８５）。
【０２２６】
そして、基地局１００は、ＬＴＥの無線リソースに余りがあれば（Ｓ８５でＹ）、ＬＴＥの無線リソースを利用して、高優先度のフロー群に含まれるパケットデータを送信する（Ｓ８３）。
【０２２７】
この場合は、例えば、基地局１００はＬＴＥの無線リソースを利用して、高優先度のフロー群に属するパケットデータを送信する。
【０２２８】
また、基地局１００は、ＬＴＥの無線リソースが不足している（又は空きがないなど）とき（Ｓ８５でＮ）、自パケットと高優先度のフロー群に含まれるパケットデータについて無線ＬＡＮを用いて送信する（Ｓ８６）。
【０２２９】
この場合は、例えば、基地局１００はＬＴＥの無線リソースに余りがなければ、自パケットについては無線ＬＡＮによる無線リソースを用いて送信する。
【０２３０】
さらに、基地局１００は、ＬＴＥの無線リソースに余りがあっても、高優先度のフロー群に含まれるすべてのパケットデータをＬＴＥ無線リソースで送信できないときは、送信できない当該パケットデータと自パケットデータについては無線ＬＡＮを用いて送信する（Ｓ８６）。
【０２３１】
この場合は、例えば、基地局１００は高優先度のフロー群に属するパケットデータをＬＴＥの無線リソースを優先的に利用して送信するが、ＬＴＥの無線リソースだけでは送信困難な高優先度のフロー群に属するパケットデータを無線ＬＡＮの無線リソースを用いて送信する。また、基地局１００は、自パケットについても無線ＬＡＮの無線リソースを用いて送信する。
【０２３２】
そして、基地局１００は一連の処理を終了させる（Ｓ８４）。
【０２３３】
本第４の実施の形態においては、例えば、高優先度のフロー群のパケットデータについては無線リソースが確保された無線通信方式で優先的に送信が行われる。この場合、当該無線リソースだけでは転送困難なフロー群のパケットデータについては、他の基地局による無線通信と共有される無線リソースが利用される無線通信方式で送信が行われる。
【０２３４】
従って、本第４の実施の形態では、第２の実施の形態と同様に、無線リソースが確保された無線通信方式が最大限利用されるため、無線リソースを有効的に活用できる。また、本第４の実施の形態では、通信品質が良好な周波数帯又は無線リソースが確保された無線通信方式による無線リソースが最大限利用されるため、その一部しか利用しない場合と比較して、スループットの向上を図ることができる。
【０２３５】
［その他の実施の形態］
次に、その他の実施の形態について説明する。図２５は基地局１００のハードウェアに関する構成例を表わす図である。
【０２３６】
基地局１００は、さらに、ＣＰＵ（Central Processing Unit）１５０、メモリ１５１、ＬＴＥ用無線部１５２、無線ＬＡＮ用無線部１５３、外部インタフェース１５４を備え、互いにバス１５５を介して接続される。
【０２３７】
ＣＰＵ１５０は、メモリ１５１に記憶されたプログラム１５１０を読み出し、当該プログラム１５１０を実行することで、例えば、振分部１０１の機能を実行する。ＣＰＵ１５０は、例えば、第２〜第４の実施の形態における振分部１０１に対応する。
【０２３８】
また、ＣＰＵ１５０は、振分後のパケットデータをメモリ１５１内のＬＴＥ転送用バッファ１０２又は無線ＬＡＮ転送用バッファ１０３に記憶する。さらに、ＣＰＵ１５０は、２つのバッフ１０２又は１０３に記憶されたパケットデータを読み出して、誤り訂正符号化処理や変調処理などを施し、変調処理後のパケットデータをＬＴＥ用無線部１５２又は無線ＬＡＮ用無線部１５２へそれぞれ出力する。ＣＰＵ１５０は、例えば、第２〜第４の実施の形態におけるＬＴＥ通信部１０４又は無線ＬＡＮ通信部１０５の一部に対応する。この場合、ＣＰＵ１５０は、ＬＴＥ転送用バッファ１０２から読み出したパケットデータに対してスケジューリングすることで無線リソースの割り当てを行う。ＣＰＵ１５０は、例えば、第２及び第３の実施の形態におけるスケジューラ１０４１，１２２３に対応する。
【０２３９】
メモリ１５１は、プログラム１５１０以外にも、ＬＴＥ転送用バッファ１０２、無線ＬＡＮ転送用バッファ１０３を含む。メモリ１５１は、例えば、第２〜第４の実施の形態におけるＬＴＥ転送用バッファ１０２、無線ＬＡＮ転送用バッファ１０３に対応する。    
【０２４０】
ＬＴＥ用無線部１５２は、例えば、ＣＰＵ１５０から出力された変調処理後のパケットデータに対して、周波数変換処理などを施して無線信号に変換し、アンテナ１０６を介して変換後の無線信号を端末２００へ出力する。
【０２４１】
無線ＬＡＮ用無線部１５３は、例えば、ＣＰＵ１５０から出力された変調処理後のパケットデータに対して、周波数変換処理などを施して無線信号に変換し、アンテナ１０７を介して変換後の無線信号を端末２００へ出力する。
【０２４２】
外部インタフェース１５４は、例えば、ネットワークを介して外部装置と接続され、ネットワークから入力した所定形式のデータに対して、パケットデータを抽出してＣＰＵ１５０に出力する。また、外部インタフェース１５４は、例えば、ＣＰＵ１５０から出力されたデータなどに対して、所定形式のデータに変換してネットワークへ出力する。
【０２４３】
上述したいずれの例においても、例えば、スケジューリングにより確保された無線リソースを利用してパケットデータが送信される場合の無線通信方式としてＬＴＥを例にして説明した。確保された無線リソースを用いて送信される無線通信方式であれば、ＷｉＭＡＸやＨＳＤＰＡ（High Speed Downlink Packet Access）などであってもよい。
【０２４４】
以上まとめると付記のようになる。
【０２４５】
（付記１）
確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを端末装置へ送信する基地局装置において、
前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する振分部
を備えることを特徴とする基地局装置。
【０２４６】
（付記２）
前記第２の通信方式は、他の基地局装置が他の端末装置との間の無線通信において利用する第２の無線リソースを利用した無線通信方式、又は確保された第３の無線リソースを利用した無線通信方式であることを特徴とする付記１記載の基地局装置。
【０２４７】
（付記３）
前記振分部は、前記端末装置と前記基地局装置との間の通信品質が前記第１の無線リソースとは異なる周波数帯を利用した前記第１の無線通信方式よりも優れた前記第１の無線リソースを利用した前記第１の無線通信方式を優先し、優先した前記第１の無線リソースを利用した前記第１の無線通信方式によりデータを前記端末装置へ送信し、前記第１の無線リソースが第１の閾値以下になると、前記第１の無線リソースとは異なる周波数帯を利用した前記第１の無線通信方式によりデータを前記端末装置へ送信することを特徴とする付記１記載の基地局装置。
【０２４８】
（付記４）
前記基地局装置は、前記第１の無線リソースを利用して無線通信を行う前記第１の無線通信方式、前記第１の無線リソースとは異なる周波数帯を利用する前記第１無線通信方式、又は他の基地局装置が他の端末装置との間で行う無線通信において利用する前記第２の無線リソースを利用した前記第２の無線通信方式によりデータを前記端末装置へ送信し、
前記振分部は、優先した前記第１の無線リソースを利用した前記第１の無線通信方式によりデータを前記端末装置へ送信し、前記第１の無線リソースが第１の閾値以下になると、前記第１の無線リソースとは異なる周波数帯を利用した前記第１の無線通信方式によりデータを前記端末装置へ送信し、前記第１の無線リソースとは異なる周波数帯を利用する前記第１無線通信方式において利用される無線リソースが第２の閾値以下になると、前記第２の無線通信方式によりデータを前記端末装置へ送信することを特徴とする付記３記載の基地局装置。
【０２４９】
（付記５）
前記基地局装置は、前記第１の無線リソースを利用して無線通信を行う前記第１の無線通信方式、前記第１の無線リソースとは異なる周波数帯を利用する前記第１無線通信方式、又は確保された第３の無線リソースを利用して無線通信を行う前記第２の無線通信方式によりデータを前記端末装置へ送信し、
前記振分部は、優先した前記第１の無線リソースを利用した前記第１の無線通信方式によりデータを前記端末装置へ送信し、前記第１の無線リソースが第１の閾値以下になると、前記第１の無線リソースとは異なる周波数帯を利用した前記第１の無線通信方式によりデータを前記端末装置へ送信し、前記第１の無線リソースとは異なる周波数帯を利用する前記第１無線通信方式において利用される無線リソースが第３の閾値以下になると、前記第２の無線通信方式によりデータを前記端末装置へ送信することを特徴とする付記３記載の基地局装置。
【０２５０】
（付記６）
前記基地局装置は、確保された前記第１の無線リソースを利用して無線通信を行う前記第１の無線通信方式、又は確保された第３の無線リソースを利用して無線通信を行う前記第２の無線通信方式によりデータを端末装置へ送信し、
前記振分部は、前記端末装置と前記基地局装置との間の通信品質が前記第２の無線通信方式よりも優れた前記第１の無線通信方式を優先し、優先した前記第１の無線通信方式によりデータを前記端末装置へ送信し、前記第１の無線リソースが第１の閾値以下になると、前記第２の無線通信方式によりデータを前記端末装置へ送信することを特徴とする付記１記載の基地局装置。
【０２５１】
（付記７）
更に、前記第１の無線リソースを利用した前記第１の無線通信方式により送信されるデータを記憶する第１の転送用バッファを備え、
前記振分部は、前記第１の転送用バッファに記憶されたデータのデータ量に基づいて前記第１の無線リソースが第１の閾値以下になるか否かを判別することを特徴とする付記１記載の基地局装置。
【０２５２】
（付記８）
更に、前記第１の無線通信方式によりデータを送信する際に前記データに対する符号化率及び変調方式を決定し、決定した符号化率及び変調方式に対応するデータレートを算出するスケジューラを備え、
前記振分部は、前記スケジューラから出力された前記データレートに基づいて、前記第１の無線リソースが第１の閾値以下になるか否かを判別することを特徴とする付記１記載の基地局装置。
【０２５３】
（付記９）
前記振分部は、第２の転送用バッファに記憶されたデータのデータ量に基づいて前記第２の転送用バッファに記憶されたデータが前記第１の無線通信方式で前記端末装置へ送信されるまでにかかる第１の時間を算出し、前記スケジューラから出力された前記データレートに基づいて算出した１パケット分のデータを送信するまでにかかる第２の時間と前記第１の時間とを加算した時間が第４の閾値を超えるか否かにより、前記第１の無線リソースが第１の閾値以下になるか否かを判別することを特徴とする付記８記載の基地局装置。
【０２５４】
（付記１０）
更に、前記端末装置から送信された前記通信品質に関する通信品質情報を受信する受信部と、
前記第１の無線通信方式により前記端末装置へ送信するデータに対して符号化率及び変調方式を決定するスケジューラと、
前記通信品質情報と前記符号化率及び変調方式に基づいてエラー情報を生成するエラー情報生成部とを備え、
前記振分部は、前記エラー情報に基づいて、前記通信品質が前記第２の無線リソースを利用した前記第１の無線通信方式よりも前記第１の無線リソースを利用した前記第１の無線通信方式の方が優れていることを判別することを特徴とする付記３記載の基地局装置。
【０２５５】
（付記１１）
更に、前記端末装置に対して前記第１の無線リソースを割り当て、前記第１の無線リソースの割り当て対象である所定数のリソースブロックに対して前記第１の無線リソースを割り当てたリソースブロック数の比率を示す無線リソース割当率を算出するスケジューラを備え、
前記振分部は、前記無線リソース割当率に基づいて、前記第１の無線リソースが第１の閾値以下になるか否かを判別することを特徴とする付記３記載の基地局装置。
【０２５６】
（付記１２）
前記振分部は、前記端末装置へ提供するサービスごとに行われる通信を示すフローであって、第１のフローよりも優先度の高い第２のフローに属するデータを前記第１の無線リソースを利用した前記第１の無線通信方式により送信し、前記第１のフローに属するデータを他の基地局装置が他の端末装置との間の無線通信において利用する第２の無線リソースを利用した前記第２の無線通信方式により送信することを特徴とする付記１記載の基地局装置。
【０２５７】
（付記１３）
前記振分部は、前記第２のフローに属するデータを前記第１の無線リソースを利用しても前記第１の無線リソースが前記第１の閾値以上存在するときは当該第１の無線リソースを利用した前記第１の無線通信方式により前記第２のフローに属するデータを送信し、前記第１の無線リソースが前記第１の閾値以下になると、前記第１の無線リソースで送信できない前記第２のフローに属するデータを前記第２の無線通信方式により送信することを特徴とする付記１２記載の基地局装置。
【０２５８】
（付記１４）
確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを端末装置へ送信する基地局装置におけるデータ送信方法であって、
前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する
ことを特徴とするデータ送信方法。
【０２５９】
（付記１５）
端末装置と
基地局装置とを備え、前記基地局装置は、確保された第１の無線リソースを利用して無線通信を行う第１の無線通信方式、又は第２の無線通信方式或いは確保された無線リソースであって前記第１の無線リソースとは異なる周波数帯を利用して無線通信を行う前記第１の無線通信方式によりデータを前記端末装置へ送信する無線通信システムであって、
前記基地局装置は、前記第１の無線リソースを利用した前記第１の無線通信方式を前記第２の無線通信方式又は前記第１の無線リソースと異なる周波数帯を利用した前記第１の無線通信方式よりも優先し、優先した前記第１の無線リソースを利用した前記第１の無線通信方式によりデータを前記端末装置へ送信し、前記第１の無線リソースが第１の閾値以下になると、前記第２の無線通信方式又は前記第１の無線リソースとは異なる周波数帯を利用した前記第１の無線通信方式によりデータを前記端末装置へ送信する振分部を備え、
前記端末装置は、前記基地局装置から送信されたデータを受信する受信部を備えることを特徴とする無線通信システム。
【符号の説明】
【０２６０】
１０：無線通信システム  
１００（１００−１，１００−２）：基地局装置（基地局）
１０１：振分部                        
１０１１（１０１１−１，１０１１−２）：基準値超判別部
１０１２（１０１２−１，１０１２−２）：キュー長基準値記憶部
１０１３（１０１３−１，１０１３−２）：比較部
１０１５：振分先切替部                １０１６：ＬＢＳ記憶部
１０１７：ＬＢＣ比較部                １０１８：品質比較部
１０２：ＬＴＥ転送用バッファ          １０２１：転送用バッファ
１０２２：キュー長検出部              １０２３：キュー長通知部
１０３：無線ＬＡＮ転送用バッファ      １０４：ＬＴＥ通信部
１０４１：スケジューラ                １０５：無線ＬＡＮ通信部  
１１０：無線ＬＡＮ  ＡＰ              １２０：低周波数帯ＬＴＥ転送用バッファ
１２１：高周波数帯ＬＴＥ転送用バッファ
１２２：低周波数帯ＬＴＥ通信部        １２２３：スケジューラ
１２２５：エラー情報抽出部            １２３：高周波数帯ＬＴＥ通信部
１３０：ＷｉＭＡＸ転送用バッファ      １３１：ＷｉＭＡＸ通信部
１５０：ＣＰＵ                        １５１：メモリ
２００：端末装置（端末）
【図１】
2014222846.tif 000003
【図２】
2014222846.tif 000004
【図３】
2014222846.tif 000005
【図４】
2014222846.tif 000006
【図５】
2014222846.tif 000007
【図６】
2014222846.tif 000008
【図７】
2014222846.tif 000009
【図８】
2014222846.tif 000010
【図９】
2014222846.tif 000011
【図１０】
2014222846.tif 000012
【図１１】
2014222846.tif 000013
【図１２】
2014222846.tif 000014
【図１３】
2014222846.tif 000015
【図１４】
2014222846.tif 000016
【図１５】
2014222846.tif 000017
【図１６】
2014222846.tif 000018
【図１７】
2014222846.tif 000019
【図１８】
2014222846.tif 000020
【図１９】
2014222846.tif 000021
【図２０】
2014222846.tif 000022
【図２１】
2014222846.tif 000023
【図２２】
2014222846.tif 000024
【図２３】
2014222846.tif 000025
【図２４】
2014222846.tif 000026
【図２５】
2014222846.tif 000027